(57)【要約】  スライダー操作式ジッパーを備える再閉鎖可能注ぎ口を有する包装容器。この包装容器は、内部容積と、開いた状態のときに内部容積にアクセスできる注ぎ口とを有し、第１及び第２側部を有する容器であって、注ぎ口は、第１側部近傍から前記第２側部に向かって延びるが前記第２側部近傍に到達しない、容器２と、ジッパーが閉じられるときに注ぎ口を閉じる可撓性ジッパーの長さ部６、８と、ジッパーに取り付けられるスライダーであって、ジッパーを閉じる閉方向に移動可能であるとともに、ジッパーを開ける開方向に移動可能であるスライダー１０とを具備する。
2009532278.tif 000002
【特許請求の範囲】
【請求項１】
内部容積と、開いた状態のときに前記内部容積にアクセスできる注ぎ口とを有し、第１及び第２側部を有する容器であって、前記注ぎ口は、前記第１側部近傍から前記第２側部に向かって延びるが前記第２側部近傍に到達しない、容器と、
前記注ぎ口と同一の外延を有する可撓性ジッパーの長さ部であって、前記注ぎ口は、前記ジッパーが閉じられるときに閉じられ、前記ジッパーが開けられるときに開けられる、長さ部と、
前記ジッパーに取り付けられるスライダーであって、閉方向に移動可能であり、開方向に移動するときには、前記ジッパーを開けるために互いから分離可能であるスライダーとを具備する包装容器。
【請求項２】
前記容器は、第１及び第２壁を具備し、前記第１壁は平面状態のときには横方向に幅寸法を有し、該幅寸法は前記第１壁の第１側端と第２側端との間の距離であり、
前記ジッパーの長さ部は、前記第１壁の前記幅寸法より実質的に小さく、前記ジッパーは、第１及び第２ジッパー細片を具備し、前記第１ジッパー細片は、第１閉鎖形材と、前記第１閉鎖形材に接続される部分とジッパー／容器結合部の第１領域において前記容器に結合される別の部分とを有する第１フランジとを具備し、前記第２ジッパー細片は、第２閉鎖形材と、前記第２閉鎖形材に接続される部分とジッパー／容器結合部の第２領域において前記容器に結合される別の部分とを有する第２フランジとを具備し、
前記スライダーは、前記第１及び第２閉鎖形材に取り付けられ、前記第１及び第２閉鎖形材は、前記スライダーが閉方向に移動するときに前記ジッパーを閉じるために互いに連結可能であり、前記スライダーが開方向に移動するときに前記ジッパーを開けるために互いから分離可能であり、
前記容器に結合する前記第１フランジの前記部分は、前記第１壁の第１部分に結合し、前記容器に結合する前記第２フランジの前記部分の少なくとも一部は、前記第２壁の第１部分に結合する請求項１に記載の包装容器。
【請求項３】
前記ジッパー長さ部は、前記第１壁の前記幅寸法の半分より小さい請求項２に記載の包装容器。
【請求項４】
前記容器を囲む箱をさらに具備する請求項１に記載の包装容器。
【請求項５】
前記第１及び第２壁の上端部近傍から前記容器の底部に向かって延びる壁結合部の第１領域において、前記第１壁の第２部分が前記第２壁の第２部分に結合され、前記第１ジッパー細片は、壁結合部の前記第１領域近傍から前記第１壁の前記第１側端近傍に延び、前記横方向に概ね平行な壁結合部の第２領域において、前記第１壁の第３部分が前記第２壁の第３部分に結合され、壁結合部の前記第２領域は、前記ジッパーの最上部の高さよりも上方に配置され、少なくとも前記第１壁の前記第２側端から壁結合部の前記第１領域に延びる請求項２に記載の包装容器。
【請求項６】
第１及び第２側部を有する可剥性シール材料の層をさらに具備し、前記可剥性シール材料の層は、前記第１壁の前記第１側端から壁結合部の前記第１領域に連続的に延び、可剥性シールを形成するために、前記可剥性シール材料の層の前記第１側部に前記第１壁の第４部分が結合され、前記可剥性シール材料の層の前記第２側部に前記第２壁の第４部分が結合される請求項５に記載の包装容器。
【請求項７】
前記可剥性シール材料の層は、前記ジッパーの前記第１及び第２閉鎖形材の高さよりも低い請求項６に記載の包装容器。
【請求項８】
前記可剥性シール材料の層は、前記ジッパーの前記第１及び第２閉鎖形材の高さよりも高い請求項６に記載の包装容器。
【請求項９】
前記横方向に概ね平行な壁結合部の領域において、前記第１壁の第２部分が前記第２壁の第２部分に結合され、前記第１及び第２壁の前記第２部分は各々、前記第１及び第２壁の前記第１部分の延長部であり、前記第１及び第２壁の前記第１部分と同一直線状にある請求項２に記載の包装容器。
【請求項１０】
第１及び第２側部を有し、前記ジッパーの前記第１及び第２閉鎖形材の高さよりも低く配置される可剥性シール材料の層をさらに具備し、前記可剥性シール材料の層は、前記第１壁の前記第１側端から前記第２側端へ連続的に延び、可剥性シールを形成するために、前記第１壁の第３部分が前記可剥性シール材料の層の前記第１側部に結合され、前記第２壁の第３部分が前記可剥性シール材料の層の前記第２側部に結合される請求項９に記載の包装容器。
【請求項１１】
前記容器は、前記第１壁に接続される第１ひだパネルと、該第１ひだパネルと前記第２壁とに接続される第２ひだパネルとをさらに具備し、前記容器に結合される前記第２フランジの前記部分の第２パートが前記第１ひだパネルの一部に結合され、前記第２ひだパネルは、一方の側部が前記第２壁の第２部分に結合され、他方の側部が前記第２フランジの前記部分の前記第２パートに結合される前記第１ひだパネルの前記部分に結合される部分を具備する請求項１に記載の包装容器。
【請求項１２】
前記容器は、前記第１壁に接続される第１ひだパネルと、前記第１ひだパネルと前記第２壁とに接続される第２ひだパネルとをさらに具備し、前記第１及び第２ひだパネルは各々、前記第１及び第２ひだパネルのなかに前記第１閉鎖形材と第２閉鎖形材との連結を妨げる部分が無いように、前記第１及び第２閉鎖形材の高さよりも低く配置される上端部を有する請求項１に記載の包装容器。
【請求項１３】
内部容積を有し、第１及び第２壁を具備する容器であって、前記第１壁は、前記第１壁が平面状態であるときに横方向に幅寸法を有し、該幅寸法は、前記第１壁の第１側端と第２側端との間の距離である、容器と、
前記容器にジッパー／容器結合部の第１及び第２領域において結合され、第１及び第２ジッパー細片を具備するジッパーであって、前記第１ジッパー細片は、第１閉鎖形材と、ジッパー／容器結合部の前記第１領域において、前記第１閉鎖形材に接続される部分と前記第１壁に結合される別の部分とを有する第１フランジと、を具備し、前記第２ジッパー細片は、第２閉鎖形材と、ジッパー／容器結合部の前記第２領域において、前記第２閉鎖形材に接続される部分と前記第２壁に結合される別の部分とを有する第２フランジとを具備する、ジッパーと、
前記第１及び第２閉鎖形材に取り付けられるスライダーであって、前記第１及び第２閉鎖形材は、前記スライダーが閉方向に移動するときに前記ジッパーを閉じるために互いに連結可能であり、前記スライダーが開方向に移動するときに前記ジッパーを開けるために互いから分離可能である、スライダーと、
前記スライダーが前記閉方向にさらに移動することを防ぐために配置される第１スライダー端部止めと、
前記スライダーが前記開方向にさらに移動することを防ぐために配置される第２スライダー端部止めとを具備する包装容器であって、
前記第１スライダー端部止めと前記第１側端との間の距離は、前記第２スライダー端部止めと前記第２側端との間の距離よりも実質的に小さく、前記スライダーは、前記第１スライダー端部止めと第２スライダー端部止めとの間を移動可能である、包装容器。
【請求項１４】
前記第１及び第２スライダー端部止めは、前記第１壁の前記幅寸法の半分以下の距離だけ分離される請求項１３に記載の包装容器。
【請求項１５】
前記容器を囲む箱をさらに具備する請求項１３に記載の包装容器。
【請求項１６】
前記第１及び第２壁の角は各々、前記スライダーを露出するために、前記角を取り外しやすくする弱含み引き裂き抵抗のラインによって、前記第１及び第２壁の残りの部分に接続される請求項１３に記載の包装容器。
【請求項１７】
前記第１壁を前記第２壁に結合し、前記ジッパーへのアクセスを防ぐ上端シールをさらに具備し、該上端シールは、可剥性シール材料で作成される部分又は前記第１及び第２壁に形成される弱含み引き裂き抵抗のラインを用いて取り外し可能な部分を具備し、前記ジッパーは、前記可剥性シール材料が剥がされるか前記取り外し可能部分が取り外されるときに、アクセス可能である請求項１３に記載の包装容器。
【請求項１８】
前記上端シールに交差するか隣接する部分と、前記第２スライダー端部止めに交差するか隣接する別の部分とを有する、略垂直シールをさらに具備する請求項１７に記載の包装容器。
【請求項１９】
ジッパー／容器結合部の前記第１及び第２領域の一端から前記第１壁の前記第２側端へ延びる略横方向シールをさらに具備する請求項１７に記載の包装容器。
【請求項２０】
両端が閉じられて内部容積を有する筒状体を形成するために、所定長さの上端シールと、底部シールと、前記上端シールから前記底部シールに延びる第１垂直シールとがシールされるバッグ作成フィルムと、
前記内部容積内に配置され、前記筒状体の向かい合う部分に結合される第１及び第２相互連結可能ジッパー細片を具備するジッパーと、
前記ジッパーに取り付けられるスライダーであって、前記第１及び第２ジッパー細片は、前記スライダーが閉方向に移動するときに前記ジッパーを閉じるために互いに連結可能であり、前記スライダーが開方向に移動するときに前記ジッパーを開けるために互いから分離可能であるスライダーと、
前記スライダーが前記閉方向にさらに移動することを防ぐために配置される第１スライダー端部止めと、
前記スライダーが前記開方向にさらに移動することを防ぐために配置される第２スライダー端部止めとを具備する包装容器であって、
前記第１スライダー端部止めと前記上端シールの一端との間の距離は、前記第２スライダー端部止めと前記上端シールの他端との間の距離よりも実質的に小さく、前記スライダーは、前記第１スライダー端部止めと第２スライダー端部止めとの間を移動可能である、包装容器。
【請求項２１】
前記第１及び第２スライダー端部止めは、前記上端シールの前記所定長さの半分以下の距離だけ分離される請求項２０に記載の包装容器。
【請求項２２】
前記バッグ作成フィルムは、前記上端シールから前記第２スライダー端部止めに隣接する領域に下方に延びる第２垂直シールがさらにシールされる請求項２０に記載の包装容器。
【請求項２３】
前記筒状体は、第１及び第２壁と、前記第１及び第２壁に接続される側部ひだとを具備し、前記ひだの一部は、前記上端シールの一部において、前記第１壁の一部と第２壁の一部との間で剥がされる請求項２０に記載の包装容器。
【請求項２４】
（ａ）第１及び第２フランジ付きジッパー細片を具備するジッパーの断面にスライダーを挿入する工程と、
（ｂ）前記第１ジッパー細片のフランジを包装材料のウェブに結合する工程であって、前記第１及び第２ジッパー細片は、流れ方向に直交し、前記ウェブの幅の４分の１以下の長さを有する、工程と、
（ｃ）前記ウェブを筒状体にする工程と、
（ｄ）筒状体の全幅を横断して延びる底部シールを形成するために、前記第１及び第２ジッパー細片よりも下方の高さで前記筒状体を横断シールする工程と、
（ｅ）筒状体の全幅を横断して延びる上端シールを形成するために、前記第１及び第２ジッパー細片よりも上方の高さで前記筒状体を横断シールする工程と、
（ｆ）前記第２ジッパー細片のフランジを前記ウェブに結合する工程と、を含む製造方法。
【発明の詳細な説明】
【技術分野】
【０００１】
本発明は、朝食用シリアル、スナック食品などの注入可能な内容物を収容するための包装に概ね関する。さらに詳細には、本発明は、再閉鎖可能な注ぎ口を備える可撓性シリアル袋に関する。
【背景技術】
【０００２】
プラスチック袋内に乾燥シリアル製品を密封し、その後、板紙箱又はカートン内にこの充填された袋を収納することによって、朝食用シリアルを包装することが知られている。この種の包装の不利な点としては、密封された袋を一度開けると、シリアル製品の鮮度を維持するために湿気を防いで袋を再度密封するのが困難なことが挙げられる。
【０００３】
シールされた上端部を開けた後に従来のシリアル袋を閉じるために、ユーザーは一般に、袋の開けられた端部を一度以上折り重ねる。このような方法で袋を閉じるのは適切なことではない。ユーザーは、開口を適切にシールすることなく、袋の開けられた端部を単に箱の中に押し込むことも多い。シリアル製品を取り出して袋が空になるに伴って、箱又はカートンの奥の方で袋の空の部分を巻き上げるか折り曲げるのはさらに困難になる。しかし、プラスチック袋の開けられた端部を折り曲げるか巻き上げても、プラスチック材料はある程度の硬さを有するうえに粘着性が無いため、効果的なシールを保証することができない。
【０００４】
また、袋の壁を裂くことも破ることもなく、従来のシリアル袋のシールされた上端部を開けることも困難である。不均一に開けられた袋には、シリアルを注ぐ際にシリアルの流れを妨げる突出部分が存在することがある。袋が箱内の内張りとして用いられる場合には、箱を直立位置に戻したときに、裂いて開けた袋の突出部分が中身のシリアルを袋と箱との間の隙間に流出させることもある。
【０００５】
米国特許第６８５７７７９号明細書は、再閉鎖可能な注ぎ口を有する可撓性袋を提供することによって以上の問題点を解決することを提案する。この袋は、上端シールを具備する第１閉鎖領域と、この第１閉鎖領域下方の第２閉鎖領域とを有し、この第２閉鎖領域は、袋の幅の一部を横切って延びる内部ヒートシールと、袋の幅の残りの部分を横切って延びる再閉鎖可能なファスナーとを具備する。この再閉鎖可能なファスナーは、内部ヒートシールの端部から斜め上方に延びる。内部ヒートシール及び再閉鎖可能なファスナー上方にある袋の上部シール部分は、袋の全幅にわたって延びるが内部ヒートシール及び斜めファスナーの上方に常にある引き裂き線で切断することによって取り外すことができる。この斜めファスナーを開いたときに、袋の開かれた部分は、再閉鎖可能な注ぎ口を形成する。このほかの実施例では、水平、垂直及び斜め下方に配置されるファスナーが示される。この再閉鎖可能なファスナーは、サンドイッチ及び食品用保存袋に使用される種類のジッパーである。
【０００６】
米国特許出願公開第２００４／０２０８４０２号明細書もまた、包装容器の全幅の途中まで延びるファスナー細片の形状である再閉鎖可能な注ぎ口を有する包装容器を開示する。一実施例では、袋は側部ひだを有し、ファスナーはＷ字形状である。
【０００７】
【特許文献１】米国特許第６８５７７７９号明細書
【特許文献２】米国特許出願公開第２００４／０２０８４０２号明細書
【特許文献３】米国特許第６０４７４５０号明細書
【特許文献４】米国特許出願公開第２００４／０１４６２２４号明細書
【特許文献５】米国特許第５０２３１２２号明細書
【発明の開示】
【発明が解決しようとする課題】
【０００８】
上記で検討した先行技術文献はいずれも、スライダー操作式再閉鎖可能な注ぎ口を開示しない。消費者にとっては、スライダーを用いると、連結可能ジッパー形材を係合する前に揃える必要が無くなるため、スライダーの無いジッパーを有する袋よりもスライダー操作式ジッパーを有する再閉鎖可能な袋の方が一般に望ましい。
【０００９】
従来の包装設備を用いて大量生産できるスライダー操作式再閉鎖可能な注ぎ口を有する可撓性袋が必要とされている。
【課題を解決するための手段】
【００１０】
本発明は、スライダー操作式再閉鎖可能な注ぎ口を有する可撓性袋に関する。
本発明の一形態は、内部容積と、開いた状態のときに内部容積にアクセスできる注ぎ口とを有し、第１及び第２側部を有する容器であって、注ぎ口は、第１側部近傍から第２側部に向かって延びるが第２側部近傍まで到達しない、容器と、ジッパーが閉じられるときに注ぎ口を閉じるために配置される、可撓性ジッパーの長さ部と、ジッパーに取り付けられるスライダーであって、ジッパーを閉じる閉方向に移動可能であるとともに、ジッパーを開ける開方向に移動可能であるスライダーとを具備する包装容器である。
【００１１】
本発明の別の形態は、内部容積を有し、第１及び第２壁を具備する容器であって、第１壁は、第１壁が平面状態であるときに横方向に幅寸法を有し、幅寸法は、前記第１壁の第１側端と第２側端との間の距離である、容器と、容器にジッパー／容器結合部の第１及び第２領域において結合され、第１及び第２ジッパー細片を具備するジッパーであって、第１ジッパー細片は、第１閉鎖形材と、ジッパー／容器結合部の第１領域において、第１閉鎖形材に接続される部分と前記第１壁に結合される別の部分とを有する第１フランジと、を具備し、第２ジッパー細片は、第２閉鎖形材と、ジッパー／容器結合部の第２領域において、第２閉鎖形材に接続される部分と第２壁に結合される別の部分とを有する第２フランジとを具備する、ジッパーと、第１及び第２閉鎖形材に取り付けられるスライダーであって、第１及び第２閉鎖形材は、スライダーが閉方向に移動するときにジッパーを閉じるために互いに連結可能であり、スライダーが開方向に移動するときにジッパーを開けるために互いから分離可能である、スライダーと、スライダーが前記閉方向にさらに移動することを防ぐために配置される第１スライダー端部止めと、スライダーが前記開方向にさらに移動することを防ぐために配置される第２スライダー端部止めとを具備する包装容器であって、第１スライダー端部止めと前記第１側端との間の距離は、第２スライダー端部止めと前記第２側端との間の距離よりも実質的に小さく、スライダーは、第１スライダー端部止めと第２スライダー端部止めとの間を移動可能である包装容器である。
【００１２】
本発明のさらに別の形態は、両端を閉じて内部容積を有する筒状体を形成するために、所定長さの上端シールと、底部シールと、前記上端シールから前記底部シールに延びる第１垂直シールとがシールされるバッグ作成フィルムと、内部容積内に配置され、筒状体の向かい合う部分に結合される第１及び第２相互連結可能ジッパー細片を具備するジッパーと、ジッパーに取り付けられるスライダーであって、第１及び第２ジッパー細片は、スライダーが閉方向に移動するときにジッパーを閉じるために互いに連結可能であり、スライダーが開方向に移動するときにジッパーを開けるために互いから分離可能であるスライダーと、スライダーが前記閉方向にさらに移動することを防ぐために配置される第１スライダー端部止めと、スライダーが前記開方向にさらに移動することを防ぐために配置される第２スライダー端部止めとを具備する包装容器であって、第１スライダー端部止めと前記上端シールの一端との間の距離は、第２スライダー端部止めと上端シールの他端との間の距離よりも実質的に小さく、スライダーは、第１スライダー端部止めと第２スライダー端部止めとの間を移動可能な包装容器である。
本発明のこのほかの態様を以下の明細書本文及び特許請求の範囲に開示する。
【発明を実施するための最良の形態】
【００１３】
以下に参照する図面において、別々の図面の類似する部品には、同一の参照符号を用いる。
【００１４】
ここで、本発明のさまざまな実施例を説明する。下記の包装容器は各々ＶＦＦＳ機械上で製造される。開示された各実施例は、熱可塑性バッグ作成フィルムなどの可撓性包装材料の筒状体を具備し、この筒状体は、包装材料を中実筒状体周りに巻いて、向かい合う長手方向縁どうしを、例えば、従来の伝導熱シール法によって封止することによって形成される。ラップシール(lap seal)かフィンシール(fin seal)を形成できる。このようにして得られた筒状体は、底部シールを形成するために横方向に封止される。その後、底部シール上方のポケットに製品が充填される。その後、筒状体は、上端シールを形成するために、製品充填ラインより上方の高さで再び横方向に封止される。上部及び底部横方向シールは通常、加熱されたシールバーを往復させる伝導熱シール法によって形成される。下記に詳細に説明するように、このほかのシールを作成する。
【００１５】
以下に開示される実施例にも、注ぎ口を形成可能な構造が組み込まれており、この注ぎ口は、包装容器の一方の側部から他方の側部に向かって延びるが他方の側部には到達しないスライダー操作式ジッパー型ファスナーによって再閉鎖可能である。ジッパーは、包装容器の幅の半分以下の長さを有することが望ましい。
【００１６】
ＶＦＦＳ機械の上流の部署で、断続的に前進するバッグ作成フィルムのウェブ上に（滞留時間に）スライダー操作式ジッパーを間隔をあけて横断方向に付加する技術が公知である。ＶＦＦＳ機械の上流に位置するバッグ作成フィルムのウェブの張力のかかった部分を覆うように、スライダー担持ファスナーテープの先端部を横断方向に向ける。その後、ウェブと結合するスライダー／ジッパー組立体を形成するために、スライダー担持ファスナーテープの残りの部分からファスナーテープの先端部分を切り離す。スライダー担持ファスナーテープを製造する設備は、ジッパー付加部署と同一のライン上に配置してもよい。これとは別に、スライダー担持ファスナーテープは、別の場所で製造し、ＶＦＦＳ機械のある場所に移送する供給リールに巻きつけ、ＶＦＦＳ機械の操作時に供給リールから払い出してもよい。
【００１７】
ファスナーテープは、一対のジッパー細片を具備し、各ジッパー細片は、各ジッパー細片に接続される閉鎖形材とジッパーフランジを各々形成するための熱可塑性材料を押し出すことによって形成される。閉鎖形材は、連結する相補形状を有し、この形状は長手方向において一定である。ファスナーテープは、スライダー端部止め構造体を形成することとジッパーフランジを間隔をあけてシールすることとを同時に実施する工程を用いて製造してもよい。この形成／シール作業は一般に、ジッパー材料に超音波エネルギーを付加することによって実施される。しかし、超音波エネルギーの代わりに、熱又は伝導ヒートシール方法を用いてもよい。（超音波又は熱）エネルギーを、第１領域においてはジッパー又は閉鎖形材に十分に付加し、第２領域においてはジッパーフランジに十分に付加すると、両領域で可塑材が柔軟になるとともに融合され、融合された材料は、冷却時に溶融領域を形成する。各溶融領域は対称面を有し、この対称面は、ファスナーテープに沿って、ジッパー１つ分の長さに相当する間隔をあけて配置される。また、各溶融領域は、ファスナーテープがジッパー付加部署で対称面に沿って切断されるまで背面どうしが結合されている一対のスライダー端部止めを形成するための形状を有する。これとは別に、ジッパー細片どうしを溶融してもよく、一対のクリップ又はこのほかのスライダー端部止め装置を各ジッパー細片の溶融領域に取り付けてもよい。取り付けられたスライダー端部止めどうしの間では、溶融領域を通る垂直切断が後に実施される。
【００１８】
本明細書に開示される実施例を製造するために、連結されるジッパー細片とこのジッパー細片に取り付けられるスライダーとを具備するファスナーテープの先端部をジッパー付加部署に向かって横方向に前進させる。スライダーは、テープの長手方向に沿って一定の間隔をあけて配置され、ファスナーテープのジッパーの長さ部分ごとに１つのスライダーが配置される。ジッパー付加部署では、スライダーが取り付けられたファスナーテープの先端ジッパー長さ部分がファスナーテープの残りの部分から切り離される。ウェブを固定しながら、切り離された部分の一方のジッパー細片のフランジをウェブに（例えば、伝導熱シール法によって）結合する。他方のジッパー細片は、その閉鎖形材を、ウェブに結合されたジッパー細片の閉鎖形材に連結すれば適切な位置に保持される。本明細書に開示される実施例にしたがえば、ジッパーは、ウェブ上で横断方向を向き、完成包装容器では、ジッパーが包装容器の両側部に対して中央寄りにあるのではなく、一側部又はその近傍から包装容器の幅の途中まで延びる、即ち、ジッパーの遠い端部と包装容器の遠い側部との間の距離がジッパーの近い端部と包装容器の近い側部との間の距離よりも大きくなるような長さと配置を有する。ジッパーは、包装容器の垂直中央線あるいはその近傍で終端する、即ち、ジッパーの長さは、完成包装容器の幅の半分未満であるのが望ましい。
【００１９】
ジッパーを付加した後、このジッパー担持ウェブは、包装容器１つ分の高さに相当する距離だけ、ＶＦＦＳ機械を通って牽引される、即ち、流れ方向に先進する。ジッパー担持ウェブがＶＦＦＳ機械を通って断続的に前進するときに、これまでに説明した形成、充填及びシール工程が実施される。形成及び充填を実施した後、他方のジッパー細片のフランジがウェブに結合される。いくつかの実施例（図１、３、９に示す実施例に対する以下の説明を参照）では、上端シールから少なくともジッパーフランジ／ウェブシールまで延びる垂直シールも形成される。選択的に、このような実施例にも可剥性シールを設けてもよい。可剥性シールは、スライダー操作式ジッパーの上方にあっても下方にあってもよい。
【００２０】
本発明の一実施例にしたがう包装容器を図１、２に示す。図１は正面図を示し、図２は、図１の２−２線で示される面に沿う断面図を示す。この包装容器は、紙箱内に選択的に配置される容器２を具備し、この紙箱は、容器２を囲む大矩形点線６４によって図１に示される。この実施例では、容器２は、包装容器の両側部の折り曲げ部各々で後壁（図１では図示せず、図２では符号１４で示す）に接続される前壁１２を具備する。前壁及び後壁の上端の境界部分は、上端シール１６（図１では斜線、図２ではＸ印によって示す帯状区域によって示す）を形成するために、伝導熱シール法によって結合される。同じように、前壁及び後壁の底部の境界部分は、底部シール１８（これも図１では斜線、図２ではＸ印によって示す帯状区域によって示す）を形成するために、伝導熱シール法によって結合される。この後壁は、上記で説明したように筒状体を形成するために、ＶＦＦＳ機械の中実筒状体周りに巻かれたバッグ作成フィルムのウェブの向かい合う境界部分どうしを熱溶着した場合には、フィンシール又はラップシール（図１では図示しない）を具備する。
【００２１】
図１、２に示す包装容器は、容器の左側近傍から延びるとともに前壁１２の幅の半分以下の長さを有するスライダー／ジッパー組立体４を具備する。この組立体４は、一対のジッパー細片６、８と、この一対の細片に取り付けられるスライダー１０とを具備する。このスライダー１０は跨ぎ式(straddling type)であり、分離用指部(separating finger)を有しないため、ジッパーの両端にスライダー端部止めを設ける必要がある。図１から理解されるように、ジッパー細片６、８の端部はともに溶着され、スライダー端部止め３８、４０を各々形成するために各々の端部で変形され、このスライダーは、両スライダー端部止めの間でジッパーに沿って移動可能である。これとは別に、クリップ又はこのほかのスライダー端部停止装置をジッパーの端部に取り付けることも可能である。しかし、本発明では、跨ぎ式スライダーを使用しなければならないわけではない。これとは別に、鋤部(plow)又は分離用指部を有するスライダーを採用することも可能であり、この場合には、ジッパーの端部のジッパー細片結合部がスライダー端部止めとしての役割を担う。
【００２２】
図２に示すように、ジッパーは、閉鎖形材３４、３０を各々有する一対の連結可能ジッパー細片６、８と、一端が各々の閉鎖形材に接続され、各々の閉鎖形材から延びるジッパーフランジ３６、３２とを具備する。ジッパーフランジ３２は、閉鎖形材３０に概ね平行に延びる結合部２４の帯状区域において前壁１２にヒートシールされる。同じように、ジッパーフランジ３６は、閉鎖形材３４に概ね平行に延びる結合部２６の帯状区域において後壁１４にヒートシールされる。閉鎖形材３０、３４は、相補（即ち、連結）形状を有する。図２は突条部と溝部の配列を示しているが、ジッパー細片の閉鎖形材はいかなる形状であってもよい。スライダー／ジッパー組立体は、米国特許第６０４７４５０号明細書に開示された形式のものが望ましく、この形式の組立体では、スライダーは分離用指部を有さず、閉鎖形材は、ジッパーを完全に閉じたときに、気密にならない場合でも湿気は通さない。これとは別に、ジッパーは、互い違いに連結するフック形状又はボール形状の閉鎖要素を具備してもよい。ジッパー細片６、８は、熱可塑性材料で作成される。ジッパーの材料として望ましいのは、ポリエチレン又はポリプロピレンである。ジッパーフランジの容器壁への結合を容易にするために、ジッパーフランジは、ジッパーの残りの部分を構成する材料の融点よりも低い温度で溶融する封止剤の表面層を有してもよい。
【００２３】
閉鎖形材３０、３４は、ジッパーの一方の端から他方の端に向かって閉方向にスライダー１０を移動させることによって互いに係合、即ち、連結される。これとは逆に、閉鎖形材３０、３４は、スライダー１０を反対方向に移動させることによって互いから分離される。スライダー１０は複数の部品を溶接して作成してもよいし、この部品はスナップ係合できるように構成してもよい。また、スライダーは一体構造であってもよい。スライダーは、射出成形などの所望の方法を用いて作成することができる。スライダーは、ナイロン、ポリプロピレン、ポリスチレン、アセタール、ポリケトン、ポリブチレン・テレフタレート、高密度ポリエチレン、ポリカーボネート又はＡＢＳなどの適切な樹脂から作成できる。
【００２４】
図１に示すように、容器２は、前壁１２の左側端からジッパーの端部へ延びる弱含み引き裂き抵抗(weakened tear resistance)の第１ライン４２（点線で示す）と、前壁の上端から弱含み引き裂き抵抗の第１ライン４２の端部へ延びる弱含み引き裂き抵抗の第２ライン４４（これも点線で示す）とを備える。引き裂き線４２は、閉鎖形材３０に概ね平行かつ閉鎖形材３０より僅かに低い高さに配置され、一方引き裂き線４４は、概ね垂直、即ち、前壁１２の側端に平行に配置される。図１に示すようにジッパーが概ね水平に配置される場合、引き裂き線４４は引き裂き線４２に概ね直交する。後壁は、前壁の引き裂き線の鏡像である引き裂き線（図１では図示しない）を有する。図２は、前壁１２の引き裂き線４２と同じ高さ、即ち、閉鎖形材３０、３４よりも低く、スライダー１０の最下部よりも低い高さに配置される、後壁１４の水平引き裂き線４２′を示す。前壁及び後壁のこのような引き裂き線は、容器の角（上端シール１６の一部を含む）を切り離すことを容易にし、これにより、スライダー１０及び閉鎖形材３０、３４が露出する。図４は、図１の包装容器と同一の包装容器を示すが、容器の角は引き裂き線に沿って切り取られ、紙箱は示されていない。直角に交差する水平及び垂直引き裂き線に代えて、容器の角を切り離すことを容易にするために、図１に示す直角交差の代わりに、切片を連結する湾曲又は斜め引き裂き線を設けてもよい。引き裂き線は、ミシン目、レーザースコーリングなどの線をはじめとする従来の手段によって形成することができる。
【００２５】
図４に示す露出されたジッパーは、再閉鎖可能な注ぎ口を形成する。スライダーがスライダー端部止め３８に当接する位置にあるとき（図４では矩形実線１０で示す）、ジッパーは閉じる。スライダーがスライダー端部止め４０に当接する位置にあるとき（図４では矩形点線１０で示す）、ジッパーは完全に開く。
【００２６】
図１、４に示す容器２は、ジッパーフランジよりも低い高さでジッパーの長さ分だけ延びる略水平可剥性シール(peel seal)２０と、上端シール１６から可剥性シール２０へと延びる略垂直シール２２とをさらに具備する（これとは別に、可剥性シール２０をジッパーフランジどうしの間に形成することもできる）。可剥性シール２０は、可剥性シール材料の帯状細片を活性化、例えば、永久シールを形成することなく可剥性シール材料を活性化するのに十分な時間、所定の熱量及び圧力を付加することによって、形成される。垂直シール２２は、帯状区域において前壁及び後壁各々の一部を、例えば、伝導熱シール法によって結合することによって形成される。筒状体を形成していた上端シール１６、底部シール１８及び垂直フィン又はラップシール（図示しない）に連結される可剥性シール２０及び垂直シール２２は、乾燥シリアルなどの製品Ｐ（図２参照）を収納する区画を形成する気密境界線を提供する。上端シール１６のように、可剥性シール２０及び垂直シール２２は、容器の開放上端を通して区画又はポケットに製品を充填した後に形成される。また、可剥性シール２０は、改変されたときの証拠(tamper evidence)にもなる。容器の角が切り取られ、ジッパーが開かれた後であっても、改変されていない可剥性シールは、製品区画へのアクセスを妨げるため、消費者が剥がさなければならない。垂直シール２２は、可剥性シールを剥がし、ジッパーを開けたときを除いて、製品がジッパー上方の内部容積及びジッパーと可剥性シールとの間の内部容積に入り込むのを防ぐ。
【００２７】
選択的に、垂直シールは、スライダー端部止め４０を押さえ、前壁と後壁との間のフランジ部分に対応するように、ジッパーの一部を覆ってもよい。これとは別の実施例にしたがって、垂直シール２２は、スライダー端部止め４０近傍で終端するようにしてもよく、垂直可剥性シールを水平可剥性シール２０の端部からこの短縮された垂直シールの端部に延びるように形成し、このようなさまざまなシールが隙間を形成することなく隣接するようにする。
【００２８】
さらにこれとは別の実施例にしたがって、垂直シール２２は取り除くことができ、これに代わって、ジッパーフランジと容器壁の結合部の水平帯状区域２４の延長である帯状区域２８（図１では破線で示す）において、容器の前壁と後壁とをヒートシールすることができる。水平シール２８は、ポケットの充填後に第２ジッパーフランジをウェブにシールすると同時に、形成することができる。水平シール２８は、袋の裏側へと延び、製品が開ジッパー以外から容器の外へ出るのを防ぐ。水平シール２８の形成とともに、可剥性シール２０を容器の全幅にわたって延ばすことができる。可剥性シールの延長２０′は、図１において破線で示される。この変化にしたがえば、容器の角を切り離し、ジッパーを開いた後に、可剥性シール２０を袋の幅の途中までか、袋の全幅にわたって剥がすことができる。水平シール２８は、開ジッパーを通過してしまった製品以外の製品がジッパー上方の空間に入り込む、即ち、容器の中央部でジッパーの周りを通過することを防ぐ。
【００２９】
以上の説明で明らかなように、先ず容器２をシールし、スライダー１０はジッパーを閉じる停止位置（図１に示す）に置かれ、可剥性シール２０はそのままにしておく。シールされた容器から製品を取り出すために、先ず容器の角が引き裂き線に沿って切り取られ、その後スライダーをジッパーが開く停止位置（図４では矩形点線１０で示す）に移動させ、最後に製品区画にアクセスするために可剥性シール２０を剥がす。露出した開ジッパーを注ぎ口として用いると、包装容器を内部に有する箱６４を上下逆にして、注ぐことのできる製品（例えば、シリアル）を、剥がした可剥性シール、その後開ジッパーを通して注ぐことができる。
【００３０】
本発明の別の実施例を図３に示す。図１に示す実施例と図３に示す実施例との唯一の違いは、図３の実施例では、フィンシール４６を後壁の中央下に代えて容器の一側部に配置した。このフィンシール４６は、上端シール１６から底部シール１８に延びる。
【００３１】
本発明の他の実施例によれば、容器の両側部にひだをつけてもよい。ＶＦＦＳ機械上でひだ付き袋を作成する技術はよく知られており、筒状体に製品が充填される前にバッグ作成フィルムの筒状体の両側部に折り目を形成するために、向かい合って往復運動するひだ鋤部を用いるのが一般的である。各側部ひだは、ひだの中央の折り部で互いに接続され、容器の各側部で前壁と後壁に各々接続された一対のひだパネルを具備する。図５はひだ付き袋の断面図であり、この断面はジッパーフランジ３２、３６に交差する水平面に沿っており、ジッパーフランジ３２、３６は各々、これまでに説明したように、容器の前壁１２及び後壁１４に結合される。後壁１４はラップシール２１を組み込んでおり、このラップシール２１は、ＶＦＦＳ機械の中実筒状体周りにバッグ作成フィルムのウェブを巻くことによって形成され、ウェブの幅及び中実筒状体の直径は、ウェブの境界部分が図示のように互いに重なりかつ結合できるように選択される。図５では、これまでに説明した方法で帯状区域において前壁１２を後壁１４に結合することによって形成された垂直シール２２の断面も示される。ひだ付き容器は側部ひだ５０、５２を有する。側部ひだ５０は、側部ひだ５０の中央折り部で互いに接続されるひだパネル５４、５６を具備する。側部ひだ５２は、側部ひだ５２の中央折り部で接続されるひだパネル５８、６０を具備する。また、ひだパネル５４、５８は、各々の折り部によって後壁１４の側端に各々接続され、一方ひだパネル５６、６０は各々の折り部によって前壁１２の側端に各々接続される。
【００３２】
図５には示されていないが、ひだパネル５４、５６の最上部は、容器の上端シールの一方の端で押さえられ、ひだパネル５８、６０の最上部は、容器の上端シールの他方の端で押さえられる。同じように、ひだパネル５４、５６の最下部は、容器の底部シールの一方の端で押さえられ、ひだパネル５８、６０の最下部は、容器の底部シールの他方の端で押さえられる。図５に示す実施例のジッパーは、ひだ５０に隣接するジッパーの端部細片どうしが結合されていない点で、図１に示す実施例に組み込まれたジッパーとは異なる。製造の際に、スライダー／ジッパー組立体は、スライダーがジッパーを部分的に開いた位置にある状態で設置され、このジッパー部分的開放位置は、図５に示すようにひだ５０をジッパーの端部細片どうしの間へと内側に折るのに十分な距離だけ包装容器側部のスライダー端部止めから離れている。しかし、注ぎ口を再閉鎖する間にスライダーがジッパーの端から滑り落ちるのを防ぐために、結合されていないジッパーの端部細片の１つ又は各々で閉鎖形材にスライダー端部止めを形成するか取り付ける必要がある。垂直シール２２に隣接するジッパーの他方の端では、ジッパーの端部細片どうしは結合されてスライダー端部止めの形状に変形されるか、スライダー端部止めを結合部の領域に取り付けることができる。発明の名称が「スライダー操作式ジッパーを有するひだ付き再閉鎖可能な包装容器」である米国特許出願公開第２００４／０１４６２２４号明細書には、ひだ付き袋に使用するジッパーの一端で各々のジッパー細片に別々のスライダー端部止めを有するスライダー操作式ジッパーが開示される。本明細書の図５に示すひだ付き包装容器には、同一又は同様の構造を有するスライダー端部止めを組み込むことができる。
【００３３】
図５に示す実施例のさらに別の態様によれば、前壁１２及び後壁１４の水平引き裂き線（図２では符号４２、４２′）は、側部ひだ５０へと延ばす必要がある。この場合、ひだパネル５４、５６は各々、ジッパーの閉鎖形材よりも低い高さに配置される水平引き裂き線を有し、引き裂き線はひだの中央折り部で合致する。このため、容器の角が切り取られてスライダー／ジッパー組立体が露出したとき、ひだパネル５４、５６の上部も切り取られる。その結果、ひだパネル５４、５６は、スライダーがジッパーを完全に閉じる位置に移動したときに、スライダーに干渉することはない。
【００３４】
選択的に、図５に部分的に示すひだ付き袋は、図１に示す可剥性シール２０に類似する可剥性シールを備えてもよい。図１に示す可剥性シール２０と異なる点は、この可剥性シールは、側部ひだ５０に隣接する端部で分岐する必要があり、可剥性シールの分岐部の一方は、ひだパネル５４の一部と後壁１４の向かい合う部分との間の隙間をシールし、可剥性シールの分岐部の他方は、ひだパネル５６の一部と前壁１２の向かい合う部分との間の隙間をシールする。内部可剥性シールの高さよりも下方では、袋は、側部ひだによって、最大限に膨張可能であり、これにより、包装容器に収納できる製品の量が増加する。
【００３５】
これとは別に、側部ひだに隣接するジッパーの端部細片は、結合することができるとともに、前壁１２とひだパネル５６との間（図６に示す）か後壁１４とひだパネル５４との間（図示しない）に配置できる。この場合、後壁１４とひだパネル５４、５６の各々一部は、ジッパーフランジ３６が後壁１４に結合される領域と同じ高さで互いに結合され、４層が結合される領域６２を形成する。この構成により、完成した包装容器では、スライダーをジッパー完全閉鎖位置、即ち、ひだパネル５４と前壁１２との間に配置することができる。
【００３６】
本発明のさらに別の態様によれば、可剥性シール以外に改変された証拠になるものを内部に設けることができる。図７には、再閉鎖可能な注ぎ口と、可剥性シール以外の内部に設けられた改変された証拠になるものとを組み込んだ包装容器が示される。ジッパー組立体は、端部が結合された一対のジッパー細片を具備し、ジッパーには、両端のジッパー結合部間をジッパーに沿って移動可能なスライダーが取り付けられる。一方のジッパー細片は、閉鎖形材３０と、この閉鎖形材３０に接続される長フランジ３２′とを具備し、他方のジッパー部品は、閉鎖形材３４と、この閉鎖形材３４に接続される短フランジ３６とを具備する。長フランジ及び短フランジは、閉鎖形材に沿って押し出されて閉鎖形材に接続される連続ウェブを切断することによって形成される。
【００３７】
図７に示すように、ジッパーフランジ３６は、永久ヒートシール７２によって後壁１４に結合される。フランジ３６よりも長いジッパーフランジ３２′は、永久ヒートシール６６、６８によって前壁１２に結合される。フランジ３２′の先端部を折り曲げ、シール７２の下方に位置する永久ヒートシール部７０によって後壁１４に結合する。シール６６、６８、７０、７２は各々、ジッパーの長さ分だけ延びる結合、例えば、溶融材料の帯である。この開示された実施例では、シール６６、６８は互いに概ね平行であり、シール７０、７２も互いに概ね平行である。また、シール６６、７２は、ある高さ以外では互いに概ね向かい合っており、シール６８、７０は、それよりも低い高さで互いに概ね向かい合っている。長フランジ３２′は、折り部７４に引き裂き線を備えてもよい。フランジ３２′の先端部は、折り部７４の引き裂き線が引き裂かれたときにフランジ３２′の残りの部分から分離される。折り部７４の引き裂き線は、切り込み線又はフランジの押し出し熱可塑性材料における汚染ラインの形態をとるか、空気を通さないラインに沿う弱含み引き裂き抵抗の形態をとってもよい。これとは別に、この引き裂き線は、ミシン目のラインを具備してもよい。後者の場合、フランジ３２′の障壁を維持するために、米国特許第５０２３１２２号明細書に開示されるように、ミシン目のラインは軽量材料の折れやすい細片（図７では図示しない）によって覆われる。この折れやすい細片は、ミシン目をシールするが、ミシン目の入ったフランジをミシン目に沿って引き裂くときには直ちに裂ける。このシール用細片は、ミシン目の入ったフランジにヒートシールされるか、裏面粘着式にして細片をフランジに接着できるようにしてもよい。これとは別に、このシール用細片は、薄い材料層をミシン目の上に押し出すことによって設けてもよい。基板のミシン目を覆うシール用細片の製造方法の詳細は、米国特許第５０２３１２２号明細書に全体的に開示される。長フランジ３２′が無傷であれば、気密シーリングが生じる。折り部７４でフランジ３２′を圧迫することによって、引き裂き線を引き裂くことができ、これにより、製品区画にアクセスできる。
【００３８】
図面は、実質的に横方向、即ち、袋の上部及び底部シールに平行に配置されるジッパーを示すが、ジッパーは、これとは別に斜めに配置（好ましくは５〜４５度の範囲）されてもよく、ジッパーの高さは、スライダーがジッパー閉鎖位置（例えば、袋の側端近傍）からジッパー完全開放位置（例えば、垂直シール近傍）に移動するに伴って上がる。この場合、ウェブ／ジッパー結合部（例えば、図１の符号２４）の領域も斜めになり、引き裂き線（例えば、図１の符号４２）も同様である。
【００３９】
図８、９に示す本発明のさらに別の実施例によれば、図１に示したようなジッパーの製品側の代わりに消費者側に可剥性シール２０を配置することができる。図８に示すように、可剥性シール材料の細片の両端は各々、前壁１２と後壁１４の一部に結合される。前壁１２及び後壁１４は、上方に延ばして、引きフランジ７６、７８を形成してもよく、このようなフランジは、可剥性シール２０を剥がすために消費者が別々に引くことができる。この実施例では、垂直シール２２は、ジッパーフランジが前壁と後壁に結合している領域（例えば、図９の領域２４）まで下方に延びていれば十分である。可剥性シール２０は、垂直シール２２の（図９に向かって）右側に延びる上端シール１６′に平行であるとともに接触していることが望ましい。垂直シール２２は、これまでに説明した種類の永久ヒートシールであることが望ましい。また、上端シール１６′は、前壁と後壁とを帯状に結合することによって形成される永久ヒートシールでもよい。これとは別に、包装容器の全幅にわたって可剥性シール材料の細片を付与してもよく、製造過程では、可剥性シール材料の細片の左側部分は、可剥性シール材料を活性化する圧力下で、可剥性シール材料を活性化する時間だけ、所定の温度まで加熱されてもよい。一方、可剥性シール材料の細片の右側部分は、可剥性シール材料が永久ヒートシールになる圧力下で、可剥性シール材料が永久ヒートシールになる時間だけ、所定の温度まで加熱されてもよい。
【００４０】
可剥性シールを作成する方法の１つとして知られているのは、容器の向かい合う部分各々に薄片を積層する方法である。可剥性シール可能な積層をヒートシールすることによって可剥性シールを形成する。その後、消費者が容器又は閉鎖具の向かい合う部分を別々に引いたとき、可剥性シールは剥れる。可剥性シールを剥がす間、１つの積層の１つ以上の層は、この積層の別の層からは分離するが、別の積層には付着したままである。その結果、別の積層には、可剥性シールが剥がされた後も少なくとも１つの層がさらに付加される。この最初の積層からの１つの層の分離は、異なるポリマー材料からなる層を用いることによって達成され、この層の中の隣接する層は異なる接着強度を有する。最も低い接着強度を有する可剥性シールの２層間で剥離が発生する。
【００４１】
可剥性シールを作成するもう１つの方法として知られているものには、容器の向かい合う部分各々にフィルムの層を付着させる方法があり、片方又は両方のフィルム層は不純物を含む。このフィルム層どうしをヒートシールすることによって可剥性シールを形成するときに、このフィルム間の付着は表面汚染のために脆弱である。可剥性シールを剥がす際に、このフィルム層は相互から分離する。
【００４２】
ヒートシール可能な可剥性シール材料の組成として知られているものの１つは、エチレン酢酸ビニル共重合体、ポリエチレン系ワックス及びポリプロピレンである。もう１つの知られている組成には、ポリブチレンと低密度ポリエチレンの混合がある。このほかにも多数の可剥性シールの組成が知られている。
【００４３】
本発明を好ましい実施例を参照して説明してきたが、本発明の範囲を逸脱することなく本発明の部材をさまざまに変更し、等価物に置き換えることが可能であることが当業者にはわかる。さらに、本発明の主要範囲から逸脱することなく特定の状態を本発明の開示内容に適応させるために、多数の変更を加えてもよい。このため、本発明は、本発明の実施を意図した最良の形態として開示された特定の実施例に限定されるものではなく、添付請求の範囲内にあるあらゆる実施例を含むものである。
【００４４】
特許請求の範囲に用いられる動詞「結合」は、熱及び／又は圧力の付加、超音波エネルギーの付加、接着材料又は結合剤の層の付加、接着又は結合細片の介在などのいずれかによる溶融、付着、シール又は接着を意味する。特許請求の範囲に用いられる用語「壁」は、包装材料の個別部分と包装材料の折り曲げられた部分の一部の両方を含む広い意味で用いられる。さらに、所定の工程を実施すべき順序を説明する方法クレームには明示的な言葉が用いられていないため、この方法クレームでは、記載された順序で各工程が実施されると考える必要はない。
【図面の簡単な説明】
【００４５】
【図１】スライダー操作式再閉鎖可能な注ぎ口を有し、本発明の一実施例にしたがって構成される包装容器の正面図。図１（及びこのほかの正面図）の斜線は、種々のシールの位置を示す。破線は、別の実施例に設けられるシールを示す。
【図２】図１に示す包装容器の断面図。断面は、図１の２−２線によって示す垂直面に沿う。図２（及びこのほかの断面図）の連続するＸは各々、永久ヒートシールを示す。
【図３】スライダー操作式再閉鎖可能な注ぎ口を有し、本発明の別の実施例にしたがって構成される包装容器の正面図。
【図４】前壁及び後壁の向かい合う上部角が切り取られてスライダー及び閉鎖形材が露出した後の図１に示す包装容器の正面図。包装容器を囲む矩形点線は板紙箱を示す。
【図５】側部ひだを有するために、図１に示す包装容器とは異なる包装容器の断面図。断面は、ジッパーフランジと交差する水平面に沿う。
【図６】本発明のさらに別の実施例にしたがうひだ付き包装容器の一部の断面図。断面は、ジッパーフランジと交差する水平面に沿う。
【図７】閉鎖形材の下方に、改変されたときに証拠となる構成を有する包装容器の一部の断面図。断面は、ジッパーと交差する垂直面に沿う。
【図８】閉鎖形材の上方に可剥性シールを有する包装容器の一部の断面図。断面は、ジッパーと交差する垂直面に沿う。
【図９】図８に部分的に示す包装容器の正面図。
【図１】
2009532278.tif 000003
【図２】
2009532278.tif 000004
【図３】
2009532278.tif 000005
【図４】
2009532278.tif 000006
【図５】
2009532278.tif 000007
【図６】
2009532278.tif 000008
【図７】
2009532278.tif 000009
【図８】
2009532278.tif 000010
【図９】
2009532278.tif 000011
【国際調査報告】
2009532278.tif 000012
2009532278.tif 000013
2009532278.tif 000014